(57)【要約】【課題】移動ケーブルの増設が容易に行なえるとともに、短時間で作業が行なえるエレベーター移動ケーブルの増設装置の提供。【解決手段】昇降路の中間部より上方位置のレール２に設置される移動ケーブル支持装置３の下方位置に、レール２を介して取付けられるブラケット９と、このブラケット９に螺着され複数本の移動ケーブル１をそれぞれ狭圧支持する押え板１１とを備え、ブラケット９には、レール２に取付ける取付用螺子穴と、移動ケーブル１の配列間隔に複数列の挟圧用螺子穴とを設け、押え板１１には、ブラケット９の挟圧用螺子穴との対向位置に挟圧用螺子穴より大きい穴１１ｄを設けたもので、また、移動ケーブル１と押え板間１１に、断面Ｌ字状の板体１２が少なくとも１枚装着可能に構成されたものである。【選択図】        図１
2004149257.tif 000002
【特許請求の範囲】
【請求項１】
エレベーターの走行を制御する制御回路が組み込まれる制御盤と、昇降路に立設されるレールに案内されて昇降する乗りかごと、前記制御盤と前記乗りかごとの電気的な接続を行なう複数本の移動ケーブルと、前記昇降路の中間部より上方位置の前記レールに着脱自在に設置され、前記複数本の移動ケーブルを懸垂支持する移動ケーブル支持装置とを備えたエレベーター移動ケーブルの増設装置において、前記移動ケーブル支持装置の下方位置に前記レールを介して取付けられるブラケットと、このブラケットに螺着され前記複数本の移動ケーブルをそれぞれ挟圧支持する押え板とを備えたことを特徴とするエレベーター移動ケーブルの増設装置。
【請求項２】
請求項１記載のエレベーター移動ケーブルの増設装置において、前記ブラケットは、前記レールに取付ける取付用螺子穴と、前記移動ケーブルの配列間隔に設けられる複数列の挟圧用螺子穴とを有し、前記押え板は、前記ブラケットに設けられる前記挟圧用螺子穴の対向位置に前記挟圧用螺子穴より大きい穴を設けたことを特徴とするエレベーター移動ケーブルの増設装置。
【請求項３】
請求項１または請求項２記載のエレベーター移動ケーブルの増設装置において、前記移動ケーブルと前記押え板間に少なくとも１枚装着可能な断面Ｌ字状の板体を備えたことを特徴とするエレベーター移動ケーブルの増設装置。
【発明の詳細な説明】
【０００１】
【発明の属する技術分野】
本発明は、エレベーター移動ケーブルの増設作業に好適なエレベーター移動ケーブルの増設装置に関するものである。
【０００２】
【従来の技術】
従来のエレベーターの移動ケーブルは、昇降路の上部にエレベーターの移動ケーブルを支える支持装置を設け、昇降路の中間部に移動ケーブルの揺れを阻止するケーブル押え装置を設け、支持装置とケーブル押え装置の間にワイヤーを張設し、移動ケーブルとワイヤーを所定間隔で固定したものがある（例えば、特許文献１参照。）。
【０００３】
【特許文献１】
特開昭５７−３５１２号公報  （第３頁、第３図）
【０００４】
【発明が解決しようとする課題】
上記従来技術のように、支持装置で支えられたエレベーターの既設移動ケーブルに対して、新規移動ケーブルを増設するとき、支持装置から既設移動ケーブルを一旦取外し、新規移動ケーブルを加えた移動ケーブルの本数に見合った支持装置に取替える必要があり、既設移動ケーブルを懸垂支持しなければならず、建物の高さによって移動ケーブルも長くなり既設移動ケーブルの総重量が１００ｋｇを超える場合もある。このように支持装置から一旦取外した既設移動ケーブルは、手で支えることは困難であり、例え支えられる重量であっても作業者の肉体的疲労は非常に大きいという問題や、既設移動ケーブルをワイヤーで支持した場合、ケーブルの被服を傷つけたり屈曲する虞があった。
【０００５】
本発明の目的は、移動ケーブルの増設が容易に行なえるとともに、短時間で作業が行なえるエレベーター移動ケーブルの増設装置を提供することにある。
【０００６】
【課題を解決するための手段】
上記目的を達成するために、本発明は、エレベーターの走行を制御する制御回路が組み込まれる制御盤と、昇降路に立設されるレールに案内されて昇降する乗りかごと、前記制御盤と前記乗りかごとの電気的な接続を行なう複数本の移動ケーブルと、前記昇降路の中間部より上方位置の前記レールに着脱自在に設置され、前記複数本の移動ケーブルを懸垂支持する移動ケーブル支持装置とを備えたエレベーター移動ケーブルの増設装置において、前記移動ケーブル支持装置の下方位置に前記レールを介して取付けられるブラケットと、このブラケットに螺着され前記複数本の移動ケーブルをそれぞれ挟圧支持する押え板とを備え、前記ブラケットには、前記レールに取付ける取付用螺子穴と、前記移動ケーブルの配列間隔に複数列の挟圧用螺子穴とを設け、前記押え板には、前記ブラケットの前記挟圧用螺子穴との対向位置に前記挟圧用螺子穴より大きい穴を設けたもので、また、前記移動ケーブルと前記押え板間に、断面Ｌ字状の板体が少なくとも１枚装着されるものである。
【０００７】
このように構成したので、移動ケーブルを増設するとき、移動ケーブル支持装置の若干下方位置に取付けたレールにブラケットと、このブラケットに螺着する押え板との間に既設の複数本の移動ケーブルを配置して挟圧保持してから、増設した移動ケーブルと既設の複数本の移動ケーブルとを、移動ケーブル支持装置に懸垂支持するようにしたので、既設の移動ケーブルを長時間手で支持することがなく、作業が安全且つ容易に行なえるとともに、作業時間も短縮できる。
【０００８】
また、既設の複数本の移動ケーブルは、ブラケットと押え板にそれぞれ移動ケーブルの配列間隔に設けた複数列の螺子穴及び穴を介して１本ずつ挟圧保持するので、隣接する移動ケーブル厚さの影響を受けず、自重でずれ落ちることがない。
【０００９】
また、移動ケーブルと押え板間に断面Ｌ字状の板体を装着可能としたので、複数本の移動ケーブルの厚さがまちまちであっても厚みの補正ができ、移動ケーブルの挟圧保持が均一に行なえるとともに、断面Ｌ字状としたので、持ち易く脱着時に昇降路に落下させることもない。
【００１０】
【発明の実施の形態】
以下、本発明のエレベーター移動ケーブルの増設装置の一実施形態を図１〜図３を用いて説明する。
【００１１】
図１は本発明の一実施形態を示す移動ケーブル増設装置取付け状態を示す要部斜視図、図２は本発明の移動ケーブル増設装置を用いて移動ケーブルの増設作業後の移動ケーブル支持装置近傍の要部斜視図、図３は移動ケーブル増設作業の作業手順を示すフローチャートである。
【００１２】
図において、エレベーターの走行を制御する制御回路が組み込まれる図示しない制御盤と、昇降路を昇降する図示しない乗りかごとを電気的に接続する複数本の移動ケーブル１が昇降路に配設され、また、昇降路には図示しない乗りかごを案内するレール２が立設されており、昇降路中間部の上方位置のレール２には複数本の移動ケーブル１を垂下支持する移動ケーブル支持装置３がレールクリップ４にて締結されている。ここで、移動ケーブル支持装置３は、レールクリップ４でレール２に締結されるブラケット５と、このブラケット５に所定間隔で対向して締結される一対のＬ金具６と、この一対のＬ金具６間に装着され、複数本の移動ケーブル１をそれぞれ巻き掛けて支持する円柱形状の支持棒７とで構成されている。
【００１３】
また、回路変更やオプション装置を追加するとき、複数本の移動ケーブル１の芯線に予備線が不足すると、複数本の移動ケーブル１に沿わせて新規移動ケーブル８を増設する必要があり、移動ケーブル支持装置３の約７０ｃｍ下方位置のレール２に、レールクリップ４で締結される移動ケーブル増設装置９を用いて移動ケーブル増設作業が行なわれる。
【００１４】
移動ケーブル増設装置９は、レール２にレールクリップ４で締結されるブラケット１０と、断面コ字状の板体の対向面である側面１１ａに上面１１ｂと平行な耳部１１ｃを設けた押え板１１と、ブラケット１０に押え板１１を螺着する図示しない複数個のボルトとで構成されている。ここで、押え板１１の側面１１ａの寸法は、移動ケーブル１の厚みである例えば１０ｍｍよりやや小さい例えば９ｍｍで形成され、押え板１１の上面１１ｂには、複数本の移動ケーブル１が移動ケーブル支持装置３で支持される配列間隔寸法である例えば１０ｃｍの間隔にて、複数列に複数個の穴１１ｄがそれぞれ設けられ、押え板１１の耳部１１ｃには、ブラケット１１との螺着用の穴１１ｄがそれぞれ設けられている。また、ブラケット１０には、レールクリップ４の図示しないボルトが嵌入する図示しない取付用長穴と、押え板１１に設けた穴１１ｄの対向位置に図示しない螺子穴が設けられている。
【００１５】
また、押え板１１と移動ケーブル１に装着される断面Ｌ字状の板体であるＬ字プレート１２は、厚さは０．５〜１ｍｍ程度で良く、ブラケット１０や押え板１１の高さと略同じ長さを有しており、ブラケット１０と押え板１１及び図示しないナットで複数本の移動ケーブル１をそれぞれ挟圧したとき、複数本の移動ケーブル１の厚みに若干差があり、厚みの薄い移動ケーブル１がしっかり挟圧されない場合、押え板１１と移動ケーブル１間に挿入して移動ケーブル１の厚みの補正を行なうもので、Ｌ字状に形成したことで、着脱のとき掴み易く、押え板１１の挟圧を緩めたとき落下することもない。ここで、Ｌ字プレート１２の材質は、挟圧したとき破損しない材質であれば金属でもビニールでも良い。
【００１６】
次に、このような構成の移動ケーブル増設装置９を用いて、３本掛けの移動ケーブル１に新規移動ケーブル８を１本増設する作業手順を説明する。
【００１７】
まず、作業者は図示しない乗りかごを移動ケーブル支持装置３の近傍に停止させ、エレベーターに電源を供給する遮断機を開放する。
【００１８】
次に、作業者は図示しない乗りかごの上に乗り込み、移動ケーブル支持装置３の下方約７０ｃｍの位置のレール４に、レールクリップ４で移動ケーブル増設装置９のブラケット１０を取付けるとともに（ステップＳ１）、ブラケット１０の前方に３本の移動ケーブル１が垂下するよう配置させ、押え板１１を３本の移動ケーブル１の前方から当接させ、図示しない複数本のボルトで押え板１１をブラケット１０に締結させた後、更に図示しない複数本のボルトをそれぞれ締上げて、３本の移動ケーブル１をブラケット１０と押え板１１にて挟圧保持させる（ステップＳ２）。ここで、移動ケーブル１の厚みの差から保持力が弱い移動ケーブル１があった場合、Ｌ字プレート１２を押え板１１と該当する移動ケーブル１に挿入して、再度複数本のボルトを締上げて、３本の移動ケーブル１の保持力を均一にする。
【００１９】
次に、移動ケーブル支持装置３のブラケット５に設けられる一対のＬ金具６の一方を取外し、支持棒７と３本の移動ケーブル１を外した後、レールクリップ４の図示しないボルト・ナットを緩めてブラケット５を取外した後（ステップＳ３）、移動ケーブル１が４本掛け用のブラケット５ＡにＬ金具６の一方を締結して、取外したブラケット５の位置にブラケット５Ａをレールクリップ４で取付け、移動ケーブル１が４本掛け用の支持棒７Ａに外した３本の移動ケーブル１を装着した状態で、他方のＬ金具６をブラケット５Ａに締結させながら支持棒７Ａを一対のＬ金具６の間に装着する（ステップＳ４）。
【００２０】
次に、増設する１本の新規移動ケーブル８を３本の移動ケーブル１に沿わせて敷設し（ステップＳ５）、ステップＳ４でレール２に取付けた移動ケーブル支持装置３の支持棒７Ａに新規移動ケーブル８を巻き掛け、３本の移動ケーブル１と新規移動ケーブル８の間隔を調整するとともに、図示しないワイヤーを新規移動ケーブル８の被覆が傷付けることがないように巻き掛け、支持棒７Ａに懸垂支持させる（ステップＳ６）。
【００２１】
次に、移動ケーブル増設装置９の図示しない複数本のボルトを緩めて、３本の移動ケーブル１の挟圧保持を解除するとともに、図示しない複数本のボルトを外して押え板１１をブラケット１０から外した後、レールクリップ４の図示しないボルト・ナットを緩めてブラケット１０をレール２から取外して（ステップＳ７）、新規移動ケーブル８の増設作業が完了する。
【００２２】
なお、本実施形態では、押え板１１は、図示しないボルトで螺着するとき、締めすぎて移動ケーブル１をつぶして内部の芯線を傷つけたり、屈曲部を生じさせないように、断面コ字状の板体の対向面である側面１１ａに上面１１ｂと平行な耳部１１ｃを設けた形状としたが、ブラケット１０に設けた図示しない螺子穴との対向位置に穴を設けてあれば、板体であっても良く、図示しないボルトの締付を的確に行なえば同様な効果が得られる。
【００２３】
また、本実施形態では、３本の移動ケーブルから新規移動ケーブル８を１本増設して４本の移動ケーブルとするとき、移動ケーブル支持装置３のブラケット５及び支持棒７Ａ移動ケーブル４本用のブラケット５Ａ及び支持棒７Ａに交換する説明をしたが、ブラケット５から外した一方のＬ金具６の形状を変えた長いＬ金具を使用して、支持棒７Ａが一対のＬ金具６間に装着しても良く、このときはブラケット５をそのまま使用できる。
【００２４】
【発明の効果】
本発明によれば、移動ケーブルを増設するとき、移動ケーブル支持装置の若干下方位置に取付けたレールにブラケットと、このブラケットに螺着する押え板との間に既設の複数本の移動ケーブルを配置して挟圧保持してから、増設した移動ケーブルと既設の複数本の移動ケーブルとを、移動ケーブル支持装置に懸垂支持するようにしたので、既設の移動ケーブルを長時間手で支持することがなく、作業が安全且つ容易に行なえるとともに、作業時間も短縮できる。
【００２５】
また、既設の複数本の移動ケーブルは、ブラケットと押え板にそれぞれ移動ケーブルの配列間隔に設けた複数列の螺子穴及び穴を介して１本ずつ挟圧保持するので、隣接する移動ケーブル厚さの影響を受けず、自重でずれ落ちることがない。
【００２６】
また、移動ケーブルと押え板間に断面Ｌ字状の板体を装着可能としたので、複数本の移動ケーブルの厚さがまちまちであっても厚みの補正ができ、移動ケーブルの挟圧保持が均一に行なえるとともに、断面Ｌ字状としたので、持ち易く脱着時に昇降路に落下させることもない。
【図面の簡単な説明】
【図１】本発明の一実施形態を示す移動ケーブル増設装置取付け状態を示す要部斜視図である。
【図２】本発明の移動ケーブル増設装置を用いて移動ケーブルの増設作業後の移動ケーブル支持装置近傍の要部斜視図である。
【図３】移動ケーブル増設作業の作業手順を示すフローチャートである。
【符号の説明】
１  既設ケーブル
２  レール
３  移動ケーブル支持装置
５、５Ａ  ブラケット
６  Ｌ金具
７、７Ａ  支持棒
８  新規移動ケーブル
９  移動ケーブル増設装置
１０  ブラケット
１１  押え板
１１ａ  側面
１１ｂ  上面
１１ｃ  耳部
１１ｄ  穴
１２  Ｌ字プレート
【図１】
2004149257.tif 000003
【図２】
2004149257.tif 000004
【図３】
2004149257.tif 000005